(57)【特許請求の範囲】
【請求項１】
背板の下部前面に、後方に凹入し、かつ下方に開口する凹部を設け、この凹部に、座の後方より起立する背凭れ支持杆の上部を嵌合して固着し、この凹部に嵌合した前記背凭れ支持杆の上部と背板の下部前面とを覆うようにして前記背板に取り付けた前面覆い板の両側部に、ランバーサポートの両側部を支持するランバーサポート支持部を設けたことを特徴とする椅子。
【請求項２】
背板の凹部における背凭れ支持杆を除く部分に、前方を向くリブを設け、このリブの前端に、前面覆い板を当接させた請求項１記載の椅子。
【請求項３】
座の後方より起立する背凭れ支持杆の上部に、背板の下部前面を固着し、かつ前記背凭れ支持杆の上部と背板の下部前面とを覆うようにして前記背板に取り付けた前面覆い板の両側部に、ランバーサポートの両側部を支持するランバーサポート支持部を設け、さらに、前記背板の下半部を後方に段状に凹入するとともに、背板の両側部に、前後方向の厚さを背板の厚さより大とした左右１対の側杆を、背板の下半部より前方に突出するようにして連設し、前記両側杆と背板の下半部とにより形成された凹部内に、前面覆い板の両側部に後方に突出するように設けたランバーサポート支持部を収容したことを特徴とする椅子。
【請求項４】
座の後方より起立する背凭れ支持杆の上部に、背板の下部前面を固着し、かつ前記背凭れ支持杆の上部と背板の下部前面とを覆うようにして前記背板に取り付けた前面覆い板の両側部に、ランバーサポートの両側部を支持するランバーサポート支持部を設け、さらに、前記ランバーサポート支持部を、ランバーサポートの両側部に設けた後方を向く左右１対の突片が上下方向に摺動可能として嵌合するようにした上下方向に長い左右１対の凹溝と、各凹溝の側縁より後方に突出し、前記凹溝に嵌合した突片の側面に弾性係合して、該突片の上下方向の移動に抵抗力を付与するようにした突縁とを備えるものとしたことを特徴とする椅子。
【請求項５】
突片と突縁との対向面のいずれか一方を弾性変形可能とするとともに、前記対向面のいずれか一方に凸部を、かつ他方に、前記凸部と弾性係合する凹部を設け、前記突縁側に設けられる凸部または凹部を複数とした請求項４記載の椅子。
【発明の詳細な説明】
【技術分野】
【０００１】
本発明は、椅子、特に、背凭れにランバーサポートを設けた椅子に関する。
【背景技術】
【０００２】
近年、オフィス等で使用される椅子として、長時間の着座を可能にするべく、着座者の腰部付近、具体的には腰椎部近傍の上下方向における所定範囲を、後方から押圧するランバーサポートを設けたものが多数提案されている。
【０００３】
従来のこの種の椅子には、ランバーサポートを、背板の両側部に高さ調節可能として装着したもの（例えば、特許文献１参照）、背枠の後面にランバーサポート取付部材を取り付け、これにランバーサポートを取り付けるようにしたもの（例えば、特許文献２参照）、背凭れを支持するバックフレームに装着したもの（例えば、特許文献３参照）等がある。
【先行技術文献】
【特許文献】
【０００４】
【特許文献１】特開２００１−１２８７８７号公報
【特許文献２】特開２００６−２８０４１６号公報
【特許文献２】特許４１８３０７９号公報
【発明の概要】
【発明が解決しようとする課題】
【０００５】
しかし、特許文献１に記載されているものは、大寸法の背板自体に、ランバーサポートを装着するための加工を施さなければならないので、その作業が面倒であり、特許文献２に記載されているものは、背枠の後面にランバーサポート取付部材を取り付けなければならないので、部品点数が増大するとともに、その取付作業が煩雑になり、特許文献３に記載されているものは、背凭れの支持面積が小さく、背凭れの支持が不安定となる等の問題がある。
【０００６】
本発明は、従来の技術が有する上記のような問題点に鑑み、背板自体に特別な加工を施したり、別部品を取り付けたりすることなく、簡単な構成で、ランバーサポートを安定よく、確実に支持できるとともに、コストアップになるのを抑制できるようにした椅子を提供することを目的としている。
【課題を解決するための手段】
【０００７】
本発明によると、上記課題は、次のようにして解決される。
（１）背板の下部前面に、後方に凹入し、かつ下方に開口する凹部を設け、この凹部に、座の後方より起立する背凭れ支持杆の上部を嵌合して固着し、この凹部に嵌合した前記背凭れ支持杆の上部と背板の下部前面とを覆うようにして前記背板に取り付けた前面覆い板の両側部に、ランバーサポートの両側部を支持するランバーサポート支持部を設ける。
【０００８】
このような構成とすると、大寸法の背板自体に特別な加工を施したり、別部品を取り付けたりすることなく、寸法の小さい前面覆い板にランバーサポート支持部を設ければよいので、加工が容易で、構造も簡素化でき、コストを低減できるだけでなく、前面覆い板の両側部でランバーサポートを、安定よく、確実に支持することができる。
【０００９】
また、背凭れ支持杆と背板の下部とを強固に結合することができるとともに、背板の下部と前面覆い板との間隔を小として、背凭れの薄型化を図ることができる。
【００１０】
（２）上記(１)項において、背板の凹部における背凭れ支持杆を除く部分に、前方を向くリブを設け、このリブの前端に、前面覆い板を当接させる。
【００１１】
このような構成とすると、リブによって、背板の下部の強度を高めることができるだけでなく、前面覆い板の支持強度も増すことができる。
【００１２】
（３）座の後方より起立する背凭れ支持杆の上部に、背板の下部前面を固着し、かつ前記背凭れ支持杆の上部と背板の下部前面とを覆うようにして前記背板に取り付けた前面覆い板の両側部に、ランバーサポートの両側部を支持するランバーサポート支持部を設け、さらに、前記背板の下半部を後方に段状に凹入するとともに、背板の両側部に、前後方向の厚さを背板の厚さより大とした左右１対の側杆を、背板の下半部より前方に突出するようにして連設し、前記両側杆と背板の下半部とにより形成された凹部内に、前面覆い板の両側部に後方に突出するように設けたランバーサポート支持部を収容する。
【００１３】
このような構成とすると、背板の下半部の強度を高めることができるだけでなく、ランバーサポート支持部を、前方に突出することなく、体裁よく背板内に収容することができる。
また、段落０００８に記載の効果と同様の効果を奏することができる。
【００１４】
（４）座の後方より起立する背凭れ支持杆の上部に、背板の下部前面を固着し、かつ前記背凭れ支持杆の上部と背板の下部前面とを覆うようにして前記背板に取り付けた前面覆い板の両側部に、ランバーサポートの両側部を支持するランバーサポート支持部を設け、さらに、前記ランバーサポート支持部を、ランバーサポートの両側部に設けた後方を向く左右１対の突片が上下方向に摺動可能として嵌合するようにした上下方向に長い左右１対の凹溝と、各凹溝の側縁より後方に突出し、前記凹溝に嵌合した突片の側面に弾性係合して、該突片の上下方向の移動に抵抗力を付与するようにした突縁とを備えるものとする。
【００１５】
このような構成とすると、ランバーサポートを、簡単な構造で、安定よく高さ調節することができるとともに、ランバーサポートの支持部分が外部に露呈することがなく、体裁がよい。
また、段落０００８に記載の効果と同様の効果を奏することができる。
【００１６】
（５）上記(４)項において、突片と突縁との対向面のいずれか一方を弾性変形可能とするとともに、前記対向面のいずれか一方に凸部を、かつ他方に、前記凸部と弾性係合する凹部を設け、前記突縁側に設けられる凸部または凹部を複数とする。
【００１７】
このような構成とすると、簡単な構造で、ランバーサポートの高さ調節に節度感をもたせることができる。すなわち、ランバーサポートを、上下方向の複数の位置で、安定して保持することができる。
【発明の効果】
【００１８】
本発明によると、背板自体に特別な加工を施したり、別部品を取り付けたりすることなく、簡単な構成で、ランバーサポートを安定よく、確実に支持できるとともに、コストアップになるのを抑制できるようにした椅子を提供することができる。
【図面の簡単な説明】
【００１９】
【図１】本発明の椅子の一実施形態の側面図である。
【図２】同じく背面図である。
【図３】同じく平面図である。
【図４】背凭れを斜め前方から見た分解斜視図である。
【図５】図４の前面覆い板と背板とをV−V線より見た縦断側面図である。
【図６】前面覆い板のみの正面図である。
【図７】ランバーサポートを斜め後方から見た斜視図である。
【図８】ランバーサポートの取付部を斜め後方から見た斜視図でる。
【図９】図８のIX−IX線に沿う拡大横断平面図である。
【図１０】ランバーサポートを前面覆い板に取り付けた状態を前方から見た正面図である。
【図１１】ランバーサポートを装着した背凭れを、斜め後方から見た斜視図である。
【発明を実施するための形態】
【００２０】
以下、本発明の一実施形態を、添付図面に基づいて説明する。
【００２１】
図１〜図３に示すように、この椅子は、先端部にキャスタ１を備える放射状をなす５本の脚杆２を有する脚体３を備えている。脚体３の中央には、ガススプリング(図示略)を備える伸縮式の脚柱４が立設されており、脚柱４の上端には、支基５の後部が固着されている。
【００２２】
支基５は、上面が開口するほぼ中空箱状をなし、上面の開口部は、着脱可能なカバー５ａにより覆われている。
【００２３】
支基５の内部には、背凭れ６を起立する方向、すなわち前方に向かって付勢する付勢手段や、支基５によって支持された座７を前方に向かって付勢する付勢手段(いずれも図示略)、座７の両側に設けられた肘掛け７ａ等が設けられているが、それらについては、本発明に直接関係しないので、図示および詳細な説明は省略する。
【００２４】
図１及び図２に示すように、背凭れ６の内部には、後述するランバーサポート８が設けられている。また、図１〜図３に示すように、背凭れ６の背面には、衣服を掛けるためのハンガー９が設けられている。なお、ハンガー９は、本発明に直接関係しないので、詳細な説明は省略する。
【００２５】
図４に示すように、背凭れ６は、中間の屈曲部同士が左右方向を向く連結板１０をもって連結された側面視Ｌ字状の左右１対の背凭れ支持杆１１、１１により支持されている。
図１に示すように、この背凭れ支持杆１１、１１の前端部は、左右方向の軸１２をもって支基５に枢着され、支基５の後端部と連結板１０とに前後の端部が連結されたガススプリング１３の作用により、背凭れ支持杆１１、１１と背凭れ６とは、軸１２を中心として、前後方向に回動したり、所望の後傾角度で停止させられたりし得るようになっている。
【００２６】
図４に示すように、背凭れ６は、左右１対の側杆１４、１４と、両側杆１４、１４同士を連結するとともに、前後方向の厚さを両側杆１４、１４の前後方向の厚さより小とした背板１５とを備えている。
【００２７】
背板１５の上半部１５ａは、両側杆１４、１４の前縁寄りに、同じく下半部１５ｂは、両側杆１４、１４の後縁寄りに接合し、それらの中間には、水平の段差部(図示略)が形成されている。
したがって、左右の両側杆１４、１４は、背板１５の下半部１５ｂより前方に突出し、この両側杆１４、１４と背板１５の下半部１５ｂとにより、凹部１５ｃが形成されている。
この両側杆１４、１４と背板１５とは、弾性を有する硬質合成樹脂材料により、一体成形して形成するのが好ましい。
【００２８】
このように、背凭れ６を、左右１対の側杆１４、１４と、両側杆１４、１４同士を連結するとともに、前後方向の厚さを両側杆１４、１４の前後方向の厚さより小とした背板１５とを備えるものとしてあるので、背凭れ６の両側部の強度が低下することなく、左右の側杆１４、１４と背板１５とを、同一材料により一体成形することができるとともに、背板１５の上部に可撓性を持たせることができる。
【００２９】
背板１５の上半部１５ａには、可撓性を大とするための上下方向に長い多数の長孔１６が設けられている。
また、背板１５の下半部１５ｂの前面両側部には、剛性を高めるための多数のリブ１７が設けられている。
【００３０】
つまり、背板１５は、上半部１５ａの可撓性が大きく、下半部１５ｂの剛性及び強度が上半部１５ａに比べて高くなるように形成されている。これにより、後述する前面覆い板１８、及びこの前面覆い板１８に取り付けられるランバーサポート８に作用する力を、背板１５の下半部１５ｂによって確実に支持することができる。
【００３１】
背凭れ６は、背板１５の下半部１５ｂの前面における左右のリブ１７、１７の間に、左右の背凭れ支持杆１１、１１の上端部を下方より差し込み、かつ図示を省略した取付部材をもって、連結板１０を背板１５の下半部１５ｂに固着し、それらの前面を、背板１５の下半部１５ｂとほぼ同形をなす前面覆い板１８をもって、その後面が背板１５の上半部１５ａの前面と整合するようにして覆った状態で、背凭れ支持杆１１、１１に支持されている。
【００３２】
また、図４及び図５に示すように、前面覆い板１８の両側部には、ランバーサポート支持部１９が設けられている。
このランバーサポート支持部１９は、後述するランバーサポート８の両側部に設けた後方を向く左右１対の突片２７が上下方向に摺動可能として嵌合するようにした上下方向に長い左右１対の凹溝２０と、各凹溝２０の周縁より後方に向かって突出し、凹溝２０に嵌合した突片の側面に弾性係合して、該突片の上下方向の移動に抵抗力を付与するようにした縦長筒状の突縁２１とを備えている。
【００３３】
突縁２１の外側の側壁部分は、前後方向を向く複数の凹条(凹部)２２を、上下方向に連続させた波板状に形成されている。
突縁２１は、前面覆い板１８を背板１５に取り付けたとき、背板１５の凹部１５ｃの両側部に収容されるようになっている。
【００３４】
図４及び図５に示すように、前面覆い板１８における後面の四隅には、後方を向く４本の嵌合ピン２３が突設されている。
各嵌合ピン２３を、背板１５の下半部１５ｂの前面におけるリブ１７の交差部に配設されたボス部１７ａの前面に設けた嵌合孔２４に嵌合することにより、前面覆い板１８は、背板１５の下部前面に確実に取り付けられている。
【００３５】
ランバーサポート８は、正面形が横長円形状をなすランバーサポート本体(以下単に本体という)２５と、本体２５の左右両端から外側方に延出する延出部２６と、各延出部２６の先端に連設され、かつ後方を向く縦長の突片２７を有する取付部２８と、各取付部２８の外側端に連設され、側杆１４の前方を通って、背凭れ６の外側方にわずかに突出する操作部２９とを備えている。
【００３６】
本体２５は、図７に示すように、平面視において、中央部が大きい曲率半径をもって後方に凹入する円弧状をなし、側面視において、中央部が前方に小さい曲率半径をもって突出する円弧状をなしている。
【００３７】
本体２５の後面における中央部と両側部には、側面視ほぼ三角形状の大寸の後向突片２５ａと、側面視ほぼ半円弧状の小寸の後向突片２５ｂ、２５ｂとが突設されており、それらの後端が、前面覆い板１８の前面に当接することにより、本体２５が過度に後方に弾性変形するのを防止しうるようにしてある。
【００３８】
図８および図９に示すように、取付部２８の突片２７は、後端が開口する縦長筒状をなし、その外側の側壁部分に、後端より複数の切込み溝３０を設けることにより、上下２個の弾性舌片３１、３１を削出してあり、各弾性舌片３１の後端部外側面に設けた浅い球面状の凸部３１ａを、突縁２１における複数の凹条２２に選択的に弾性係合させることにより、突片２７の上下方向の移動に抵抗力を付与し、ランバーサポート８が、前面覆い板１８の前面に沿う上下方向の複数の位置で、安定して保持することができるようにしてある。
また、左右の操作部２９、２９を上下させて、ランバーサポート８の高さ調節を行う際に、各凸部３１ａと複数の凹条２２と弾性係合することにより、節度感を付与することができる。
【００３９】
ランバーサポート８を前面覆い板１８に取り付ける場合には、図４に示すように、ランバーサポート８を前面覆い板１８に前方から近づける。そして、図１０に示すように、ランバーサポート８の取付部２８における突片２７を、前面覆い板１８の凹溝２０に挿入する。このとき、ランバーサポート８の本体２５における突片２５ａ，２５ｂが前面覆い板１８の前面に当接する。これにより、ランバーサポート８の本体２５が湾曲又は傾斜している場合でも、ランバーサポート８が前面覆い板１８によって確実に支持される。
【００４０】
また、ランバーサポート８の操作部２９が前面覆い板１８から側方に離れた位置に配置され、後方にもわずかに突出している（図１１参照）。この操作部２９は、後述のように、背凭れ６の左右両側部から外方に突出し、着座者が直接つかんで操作できる。
【００４１】
ランバーサポート８の突片２７が、前面覆い板１８の凹溝２０に挿入されたとき、凸部３１ａが凹条２２間の内向き突出部に当接している場合は、凸部３１ａがこの内向き突出部により内方に押圧され、弾性舌片３１が突片２７の内方に押し込まれるように弾性変形する。
【００４２】
この状態から、ランバーサポート８を少し上下移動させることにより、突片２７の凸部３１ａが凹溝２０の最も近い凹条２２内に挿入される。これにより、ランバーサポート８の位置が比較的強い係合力でその位置に保持される。着座者が、ランバーサポート８の上下位置を調整する場合は、操作部２９を上下移動させるだけで、簡単に位置調整できる。
【００４３】
図１０に示すように、前面覆い板１８が背板１５における下半部１５ｂに取り付けられた場合、前面覆い板１８の凹溝２０は、背板１５および側杆１４によって囲まれる凹部１５ｃ、および前面覆い板１８によって囲まれるスペース内に収容される。従って、前面覆い板１８の前面にはランバーサポート８以外の他の部材がないので、前面覆い板１８の前面にランバーサポート８を支持するための広い面積を確保できる。また、前面覆い板１８とランバーサポート８とを接近させて配置できるので背凭れ６の薄型化が可能になる。
【００４４】
図４に示すように、ランバーサポート８の前面、前面覆い板１８の前面、背板１５の上半部１５ａの前面、背板１５の上半部１５ａの後面は、二つ折りとしたクッション材３２により覆われている。前面覆い板１８の前面を覆うクッション材３２の下端部は、図６に示すように、前面覆い板１８の両側下端部に設けられた凸字状のだるま孔３３を利用して固定される。
【００４５】
図１１は、背板１５、前面覆い板１８、ランバーサポート８およびクッション材３２を組み付けた状態を示す背凭れ６の外観図である。この状態では、背板１５、前面覆い板１８、およびランバーサポート８の本体２５は、クッション材３２によって覆われているので、これらの部材が外部に露呈することはなく、外観を良好に維持できる。但し、ランバーサポート８の操作部２９だけは、背凭れ６の両側部から外部に露呈しているので、着座者が操作部２９を直接操作して、簡単にランバーサポート８の上下位置を調整できる。
【００４６】
本実施形態の椅子によれば、背板１５の下半部１５ｂの前面を覆う前面覆い板１８がランバーサポート８の支持部材として兼用されるので、前面覆い板１８とは別に支持部材を設けることなく、簡単な構成で且つ確実にランバーサポート８を支持できる。従って、コストアップになるのを抑制できる。また、ランバーサポート８を支持するために前面覆い板１８の前面における広い面積を確保できる。
【００４７】
また、背板１５の下半部１５ｂの前面に凹部１５ｃが形成され、この凹部１５ｃ内に背凭れ支持杆１１の上部が挿入され、脚体３又は座７が背板１５に連結され、脚体３又は座７と背板１５との連結部が前面覆い板１８によって覆われる。
【００４８】
更に、前面覆い板１８の凹溝２０と、この凹溝２０内に挿入されるランバーサポート８の突片２７とが、背板１５の凹部１５ｃおよび前面覆い板８によって囲まれるスペース内に収容されるので、前面覆い板１８の前面側に凹溝２０および突片２７が突出することはない。したがって、前面覆い板１８のランバーサポート８を支持すべき部位の面積を大きく確保できる。また、着座者が背凭れ６内の凹溝２０および突片２７に直接又は間接的に触れることがないので、違和感を感じるのを抑制できる。
【符号の説明】
【００４９】
１  キャスタ
２  脚杆
３  脚体
４  脚柱
５  支基
５ａカバー
６  背凭れ
７  座
７ａ肘掛け
８  ランバーサポート
９  ハンガー
１０  連結板
１１  背凭れ支持杆
１２  軸
１３  ガススプリング
１４  側杆
１５  背板
１５ａ上半部
１５ｂ下半部
１５ｃ凹部
１６  長孔
１７  リブ
１７ａボス
１８  前面覆い板
１９  ランバーサポート支持部
２０  凹溝
２１  突縁
２２  凹条(凹部)
２３  嵌合ピン
２４  嵌合孔
２５  ランバーサポート本体
２５ａ、２５ｂ  突片
２６  延出部
２７  突片
２８  取付部
２９  操作部
３０  切込み溝
３１  弾性舌片
３１ａ凸部
３２  クッション材
３３  だるま孔  
【図１】
0005529501.tif 000002
【図２】
0005529501.tif 000003
【図３】
0005529501.tif 000004
【図４】
0005529501.tif 000005
【図５】
0005529501.tif 000006
【図６】
0005529501.tif 000007
【図７】
0005529501.tif 000008
【図８】
0005529501.tif 000009
【図９】
0005529501.tif 000010
【図１０】
0005529501.tif 000011
【図１１】
0005529501.tif 000012